【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
放送波を用いて対話性を実現する通信システムであって、
Ａ）以下のa1)〜a3)を備えた送信装置、
a1)受信装置にて表示する為の表示データを複数記憶する第１記憶手段、
a2)第１記憶手段に記憶された前記表示データ毎に他の表示データへのリンクを示す制御情報を記憶する第２記憶手段、
a3)前記第１記憶手段に記憶されたデータを前記第２記憶手段に記憶された制御情報とともに繰り返し送信する送信手段、
Ｂ）以下のb1)〜b4)を備えた受信装置、
b1)フィルタ条件に基づいて、前記放送波から前記表示データを分離受信する分離受信手段、
b2)分離受信された前記表示データを再生して画像信号を出力する再生手段、
b3)指定されたフィルタ条件で分離受信が行われるように、前記分離受信手段を制御する制御手段、
Ｃ）前記送信手段は、前記受信装置の分離受信手段がフィルタ条件として用いる識別番号を前記送信対象の表示データに付与して送信し、
Ｄ）前記制御手段は、前記分離手段に対して前記識別番号をフィルタ条件として前記分離処理を実行するよう制御すること、
を特徴とする通信システム。
【請求項２】
放送波を用いて対話性を実現する通信システムにおける送信装置であって、
a1)受信装置にて表示する為の表示データを複数記憶する第１記憶手段、
a2)第１記憶手段に記憶された表示データ毎に他の表示データへのリンクを示す制御情報を記憶する第２記憶手段、
a3)前記第１記憶手段に記憶された表示データを前記第２記憶手段に記憶された制御情報とともに繰り返し送信する送信手段、
を備え、
前記送信手段は、受信側でトランスポートデコーダがフィルタ条件として用いる識別番号を前記制御情報に付与して繰り返し送信すること、
を特徴とする送信装置。
【請求項３】
放送波を用いて対話性を実現する通信システムにおける受信装置であって、
前記放送波は、受信装置にて表示する為の表示データと、前記表示データ毎に他の表示データへのリンクを示す制御情報とが多重化されて繰り返し送信されており、
前記受信装置は、
b1)フィルタ条件に基づいて、前記放送波から前記表示データを分離受信する分離受信手段、
b2)分離受信された前記表示データを再生して画像信号を出力する再生手段、
b3)指定されたフィルタ条件で分離受信が行われるように、前記分離受信手段を制御する制御手段、
を備えた受信装置において、
前記制御手段は、前記分離受信手段に対して前記繰り返し送信される表示データに付与された前記識別番号をフィルタ条件として前記分離処理を実行するよう制御すること、
を特徴とする受信装置。
【請求項４】
放送波を用いて対話性を実現する通信システムにおける受信装置であって、
前記放送波は、受信装置にて表示する為の表示データと、表示データ毎に他の表示データへのリンクを示す制御情報とが多重化されて繰り返し送信されており、
フィルタ条件に基づいて、前記放送波から前記表示データを分離受信する分離受信手段、
分離受信された前記表示データを再生して画像信号を出力する再生手段、
表示データの切り替えを指示するユーザ操作を受け付ける操作手段、
指定されたフィルタ条件で分離受信が行われるように、前記分離受信手段を制御する制御手段、
を備えた受信装置において、
ユーザ操作に従って、前記制御情報に付与された前記識別番号をフィルタ条件として前記保持手段に保持される制御情報にて示される他の表示データを分離するよう前記分離手段を制御する制御手段、
を備えたことを特徴とする受信装置。
【請求項５】
放送波を用いて対話性を実現する通信システムに用いられる受信装置における受信プログラムを記録した記録媒体であって、
前記放送波は、受信装置にて表示する為の表示データと、前記表示データ毎に他の表示データへのリンクを示す制御情報とが多重化されて繰り返し送信されており、
前記受信プログラムは、
前記放送波から前記表示データとそれに対応する制御情報とを分離する分離ステップと、
分離された表示データと制御情報とをメモリに格納する格納ステップと、
メモリに格納された表示データを再生して映像信号を出力する再生ステップと、
表示データの切り替えを指示するユーザ操作を受け付ける操作ステップと、
ユーザ操作に従ってメモリに格納された制御情報に示される表示データを判別する判別ステップと、
判別された表示データと、それに対応する制御情報とを分離する再分離ステップと、
を実行するプログラムであって、さらに、
前記分離ステップにおいて、前記繰り返し送信される表示データに付与された識別番号をフィルタ条件として前記分離処理を実行すること、
を特徴とするプログラムを記録した記録媒体。
【請求項６】
請求項１〜請求項５の通信システム、送信装置、受信装置、プログラムを記録した記録媒体において、
前記付与された識別番号をテーブルidエクステンションの値として、前記分離処理をすること、
を特徴とするもの。
【請求項７】
放送波を用いて対話性を実現する通信システムに用いられる受信装置における受信方法であって、
前記放送波は、受信装置にて表示する為の表示データと、表示データ毎に他の表示データへのリンクを示す制御情報とが多重化されて繰り返し送信されており、
前記受信方法は、前記放送波から表示データとそれに対応する制御情報とを分離する分離ステップと、
分離された表示データと制御情報とをメモリに格納する格納ステップと、
メモリに格納された表示データを再生して映像信号を出力する再生ステップと、
表示データの切り替えを指示するユーザ操作を受け付ける操作ステップと、
ユーザ操作に従ってメモリに格納された制御情報に示される他の表示データを判別する判別ステップと、
判別された表示データと、それに対応する制御情報とを分離する再分離ステップと、
を有する受信方法において、
前記分離ステップにおいて、前記繰り返し送信されるデータに付与された識別番号をフィルタ条件として前記分離処理を実行すること、
を特徴とする受信方法。
【手続補正２】
【補正対象書類名】明細書
【補正対象項目名】０００６
【補正方法】変更
【補正の内容】
【０００６】
【課題を解決するための手段および発明の効果】
本発明にかかる通信システムは、放送波を用いて対話性を実現する通信システムであって、Ａ）以下のa1)〜a3)を備えた送信装置、a1)受信装置にて表示する為の表示データを複数記憶する第１記憶手段、a2)第１記憶手段に記憶された前記表示データ毎に他の表示データへのリンクを示す制御情報を記憶する第２記憶手段、a3)前記第１記憶手段に記憶されたデータを前記第２記憶手段に記憶された制御情報とともに繰り返し送信する送信手段、Ｂ）以下のb1)〜b4)を備えた受信装置、b1)フィルタ条件に基づいて、前記放送波から前記表示データを分離受信する分離受信手段、b2)分離受信された前記表示データを再生して画像信号を出力する再生手段、b3)指定されたフィルタ条件で分離受信が行われるように、前記分離受信手段を制御する制御手段、Ｃ）前記送信手段は、前記受信装置の分離受信手段がフィルタ条件として用いる識別番号を前記送信対象の表示データに付与して送信し、Ｄ）前記制御手段は、前記分離手段に対して前記識別番号をフィルタ条件として前記分離処理を実行するよう制御する。このように、分離受信手段がフィルタ条件として用いる識別番号を前記送信対象の表示データに付与して送信しているので、前記表示データを識別番号によってフィルタリングできる。
本発明にかかる送信装置は、放送波を用いて対話性を実現する通信システムにおける送信装置であって、a1)受信装置にて表示する為の表示データを複数記憶する第１記憶手段、a2)第１記憶手段に記憶された表示データ毎に他の表示データへのリンクを示す制御情報を記憶する第２記憶手段、a3)前記第１記憶手段に記憶された表示データを前記第２記憶手段に記憶された制御情報とともに繰り返し送信する送信手段を備え、前記送信手段は、受信側でトランスポートデコーダがフィルタ条件として用いる識別番号を前記制御情報に付与して繰り返し送信する。したがって、受信側にて、前記表示データを識別番号によってフィルタリングできる。
【手続補正３】
【補正対象書類名】明細書
【補正対象項目名】０００７
【補正方法】変更
【補正の内容】
【０００７】
本発明にかかる受信装置は、放送波を用いて対話性を実現する通信システムにおける受信装置であって、前記放送波は、受信装置にて表示する為の表示データと、前記表示データ毎に他の表示データへのリンクを示す制御情報とが多重化されて繰り返し送信されており、前記受信装置は、b1)フィルタ条件に基づいて、前記放送波から前記表示データを分離受信する分離受信手段、b2)分離受信された前記表示データを再生して画像信号を出力する再生手段、b3)指定されたフィルタ条件で分離受信が行われるように、前記分離受信手段を制御する制御手段を備えており、前記制御手段は、前記分離受信手段に対して前記繰り返し送信される表示データに付与された前記識別番号をフィルタ条件として前記分離処理を実行するよう制御する。したがって、表示データに付与された識別番号にて、フィルタリングが可能となる。
本発明にかかる受信装置は、放送波を用いて対話性を実現する通信システムにおける受信装置であって、前記放送波は、受信装置にて表示する為の表示データと、表示データ毎に他の表示データへのリンクを示す制御情報とが多重化されて繰り返し送信されており、フィルタ条件に基づいて、前記放送波から前記表示データを分離受信する分離受信手段、分離受信された前記表示データを再生して画像信号を出力する再生手段、表示データの切り替えを指示するユーザ操作を受け付ける操作手段、指定されたフィルタ条件で分離受信が行われるように、前記分離受信手段を制御する制御手段を備え、ユーザ操作に従って、前記制御情報に付与された前記識別番号をフィルタ条件として前記保持手段に保持される制御情報にて示される他の表示データを分離するよう前記分離手段を制御する制御手段を備えている。したがって、表示データに付与された識別番号にて、フィルタリングが可能となる。
【手続補正４】
【補正対象書類名】明細書
【補正対象項目名】０００８
【補正方法】変更
【補正の内容】
【０００８】
本発明にかかる記録媒体は、放送波を用いて対話性を実現する通信システムに用いられる受信装置における受信プログラムを記録した記録媒体であって、前記放送波は、受信装置にて表示する為の表示データと、前記表示データ毎に他の表示データへのリンクを示す制御情報とが多重化されて繰り返し送信されており、前記受信プログラムは、前記放送波から前記表示データとそれに対応する制御情報とを分離する分離ステップと、分離された表示データと制御情報とをメモリに格納する格納ステップと、メモリに格納された表示データを再生して映像信号を出力する再生ステップと、表示データの切り替えを指示するユーザ操作を受け付ける操作ステップと、ユーザ操作に従ってメモリに格納された制御情報に示される表示データを判別する判別ステップと、判別された表示データと、それに対応する制御情報とを分離する再分離ステップと、を実行するプログラムであって、さらに、前記分離ステップにおいて、前記繰り返し送信される表示データに付与された識別番号をフィルタ条件として前記分離処理を実行する。したがって、表示データに付与された識別番号にて、フィルタリングが可能となる。
本発明にかかる通信システム、送信装置、受信装置、プログラムを記録した記録媒体においては、前記付与された識別番号をテーブルidエクステンションの値として、前記分離処理をする。したがって、テーブルidエクステンションの値によって、フィルタリングが可能となる。
本発明にかかる受信方法は、放送波を用いて対話性を実現する通信システムに用いられる受信装置における受信方法であって、前記放送波は、受信装置にて表示する為の表示データと、表示データ毎に他の表示データへのリンクを示す制御情報とが多重化されて繰り返し送信されており、前記受信方法は、前記放送波から表示データとそれに対応する制御情報とを分離する分離ステップと、分離された表示データと制御情報とをメモリに格納する格納ステップと、メモリに格納された表示データを再生して映像信号を出力する再生ステップと、表示データの切り替えを指示するユーザ操作を受け付ける操作ステップと、ユーザ操作に従ってメモリに格納された制御情報に示される他の表示データを判別する判別ステップと、判別された表示データと、それに対応する制御情報とを分離する再分離ステップとを有し、前記分離ステップにおいて、前記繰り返し送信されるデータに付与された識別番号をフィルタ条件として前記分離処理を実行する。したがって、表示データに付与された識別番号にて、フィルタリングが可能となる。
【手続補正５】
【補正対象書類名】明細書
【補正対象項目名】０１７５
【補正方法】削除
【補正の内容】
【手続補正６】
【補正対象書類名】明細書
【補正対象項目名】０１７６
【補正方法】削除
【補正の内容】
【手続補正７】
【補正対象書類名】明細書
【補正対象項目名】０１７７
【補正方法】削除
【補正の内容】
【手続補正８】
【補正対象書類名】明細書
【補正対象項目名】０１７８
【補正方法】削除
【補正の内容】
【手続補正９】
【補正対象書類名】明細書
【補正対象項目名】０１７９
【補正方法】削除
【補正の内容】
【手続補正１０】
【補正対象書類名】明細書
【補正対象項目名】０１８０
【補正方法】削除
【補正の内容】
【手続補正１１】
【補正対象書類名】明細書
【補正対象項目名】０１８１
【補正方法】削除
【補正の内容】
【手続補正１２】
【補正対象書類名】明細書
【補正対象項目名】０１８２
【補正方法】削除
【補正の内容】
【手続補正１３】
【補正対象書類名】明細書
【補正対象項目名】０１８３
【補正方法】削除
【補正の内容】
【手続補正１４】
【補正対象書類名】明細書
【補正対象項目名】０１８４
【補正方法】削除
【補正の内容】
【手続補正１５】
【補正対象書類名】明細書
【補正対象項目名】０１８５
【補正方法】削除
【補正の内容】
【手続補正１６】
【補正対象書類名】明細書
【補正対象項目名】０１８６
【補正方法】削除
【補正の内容】
【手続補正１７】
【補正対象書類名】明細書
【補正対象項目名】０１８７
【補正方法】削除
【補正の内容】
【手続補正１８】
【補正対象書類名】明細書
【補正対象項目名】０１８８
【補正方法】削除
【補正の内容】
【手続補正１９】
【補正対象書類名】明細書
【補正対象項目名】０１８９
【補正方法】削除
【補正の内容】